(57)【要約】【課題】送信機の調整を簡単かつ正確に行うことのできるＦＰＵ中継システムを提供する。【解決手段】ＦＰＵ中継システムは、受信機１００および送信機２００を有する。受信機１００は、送信機２００からの信号の受信状態を示す情報を表示するための受信ステータス画面信号を生成する受信ステータス画面生成部と、上記受信ステータス画面生成部で生成された受信ステータス画面信号を送信機２００に送信する受信ステータス画面送り返し手段を有する。送信機２００は、受信機１００からの受信ステータス画面信号を再生する再生手段を有する。【選択図】図１
2010109576.tif 000002
【特許請求の範囲】
【請求項１】
受信機と、該受信機と無線通信を行う送信機とを有するＦＰＵ中継システムであって、
前記受信機は、
前記送信機からの信号の受信状態を示す情報を表示するための受信ステータス画面信号を生成する受信ステータス画面生成部と、
前記受信ステータス画面生成部で生成された受信ステータス画面信号を前記送信機に送信する受信ステータス画面送り返し手段を有し、
前記送信機は、前記受信機からの受信ステータス画面信号を再生する再生手段を有する、ＦＰＵ中継システム。
【請求項２】
前記送信機は、
操作部と、
前記操作部にて、受信ステータス画面の送り返しを有効とするための入力操作が行われると、該入力操作に応じて、前記再生手段を稼動させ、前記操作部にて、受信ステータス画面の送り返しを無効とするための入力操作が行われると、該入力操作に応じて、前記再生手段を停止させる第１の送り返し制御部を、さらに有する、請求項１に記載のＦＰＵ中継システム。
【請求項３】
前記送信機は、前記無線通信における伝送制御に関する制御情報を格納したＴＭＣＣ信号を生成するＴＭＣＣ信号生成部を備え、該ＴＭＣＣ信号生成部で生成されたＴＭＣＣ信号と外部から入力される無線素材の信号をそれぞれ変調し、該変調信号を周波数変換して第１のチャンネルで送信するように構成されており、
前記第１の送り返し制御部は、前記受信ステータス画面の送り返しの有効および無効の設定状態を示すフラグ情報を前記制御情報として含むＴＭＣＣ信号を前記ＴＭＣＣ信号生成部にて生成させる、請求項２に記載のＦＰＵ中継システム。
【請求項４】
前記受信機は、
前記送信機からの変調信号のうちの前記ＴＭＣＣ信号を復調するＴＭＣＣ復調部と、
前記ＴＭＣＣ復調部にて復調されたＴＭＣＣ信号に含まれている前記フラグ情報を調べ、該フラグ情報が受信ステータス画面の送り返しの有効を示す場合は、前記受信ステータス画面送り返し手段を稼動させ、該フラグ情報が受信ステータス画面の送り返しの無効を示す場合には、前記受信ステータス画面送り返し手段を停止させる第２の送り返し制御部を、さらに有する、請求項３に記載のＦＰＵ中継システム。
【請求項５】
前記受信ステータス画面送り返し手段は、
前記受信ステータス画面生成部で生成された受信ステータス画面信号を変調する変調部と、
前記変調部からの変調信号に対して、該変調信号を周波数帯が前記第１のチャンネルと異なる第２のチャンネルで送信するための周波数変換を行う周波数変換部と、
前記周波数変換部にて周波数変換された変調信号を増幅する電力増幅部を有する、請求項４に記載のＦＰＵ中継システム。
【請求項６】
前記受信状態を示す情報は、前記送信機からの変調信号の入力電界値と、該変調信号を直交復調して得られるＩ軸とＱ軸の信号の振幅に基づいて生成される、変調誤差比およびコンスタレーションと、該変調信号を復調した信号に基づいて算出される符号誤り率を含む、請求項１から５のいずれか１項に記載のＦＰＵ中継システム。
【請求項７】
無線素材の信号を変調して受信機へ送信する無線送信部を有する送信機であって、
前記受信機から、当該送信機からの信号の受信状態を示す情報を表示するための受信ステータス画面信号を受信し、該受信ステータス画面信号を再生する再生手段を有する送信機。
【請求項８】
操作部と、
前記操作部にて、受信ステータス画面の送り返しを有効とするための入力操作が行われると、該入力操作に応じて、前記再生手段を稼動させ、前記操作部にて、受信ステータス画面の送り返しを無効とするための入力操作が行われると、該入力操作に応じて、前記再生手段を停止させる第１の送り返し制御部を、さらに有する、請求項７に記載の送信機。
【請求項９】
前記無線送信部は、前記無線通信における伝送制御に関する制御情報を格納したＴＭＣＣ信号を生成するＴＭＣＣ信号生成部を備え、該ＴＭＣＣ信号生成部で生成されたＴＭＣＣ信号と外部から入力される無線素材の信号をそれぞれ変調し、該変調信号を周波数変換して第１のチャンネルで送信するように構成されており、
前記第１の送り返し制御部は、前記受信ステータス画面の送り返しの有効および無効の設定状態を示すフラグ情報を前記制御情報として含むＴＭＣＣ信号を前記ＴＭＣＣ信号生成部にて生成させる、請求項８に記載の送信機。
【請求項１０】
送信機から無線素材の信号を無線通信により受信する受信機であって、
前記送信機からの信号の受信状態を示す情報を表示するための受信ステータス画面信号を生成する受信ステータス画面生成部と、
前記受信ステータス画面生成部で生成された受信ステータス画面信号を前記送信機に送信する受信ステータス画面送り返し手段を有する受信機。
【請求項１１】
前記無線通信における伝送制御に関する制御情報として、前記送信機における前記受信ステータス画面の送り返しの有効および無効の設定状態を示すフラグ情報を含むＴＭＣＣ信号を受信する受信部と、
前記受信部にて受信された前記ＴＭＣＣ信号を復調するＴＭＣＣ復調部と、
前記ＴＭＣＣ復調部にて復調されたＴＭＣＣ信号に含まれている前記フラグ情報を調べ、該フラグ情報が受信ステータス画面の送り返しの有効を示す場合は、前記受信ステータス画面送り返し手段を稼動させ、該フラグ情報が受信ステータス画面の送り返しの無効を示す場合には、前記受信ステータス画面送り返し手段を停止させる送り返し制御部を、さらに有する、請求項１０に記載の受信機。
【請求項１２】
前記受信ステータス画面送り返し手段は、
前記受信ステータス画面生成部で生成された受信ステータス画面信号を変調する変調部と、
前記変調部からの変調信号に対して、該変調信号を周波数帯が前記送信機からの信号を受信したチャンネルと異なるチャンネルで送信するための周波数変換を行う周波数変換部と、
前記周波数変換部にて周波数変換された変調信号を増幅する電力増幅部を有する、請求項１１に記載の受信機。
【請求項１３】
受信機と、該受信機と無線通信を行う送信機とを有するＦＰＵ中継システムにて行われる受信ステータス画面提示方法であって、
前記受信機が、前記送信機からの信号の受信状態を示す情報を表示するための受信ステータス画面信号を生成し、該受信ステータス画面信号を前記送信機に送信するステップと、
前記送信機が、前記受信機からの受信ステータス画面信号を再生するステップを含む、受信ステータス画面提示方法。
【発明の詳細な説明】
【技術分野】
【０００１】
本発明は、無線素材（映像素材や音声素材）をＦＰＵ（Field Pickup Unit）により中継するＦＰＵ中継システムに関する。
【背景技術】
【０００２】
ＦＰＵ中継システムでは、送信機をフィールド上に持ち出して、その送信機から基地局受信機へ映像素材や音声素材等の無線素材を伝送する。マラソンの中継等が、これに相当する。このようなＦＰＵ中継システムにおいては、受信機の受信状況に基づいて、送信機における送信出力や変調方式を最適な状態に調整する。
【０００３】
特許文献１には、直交デジタル変調信号を伝送するときの回線状況を受信側のテレビモニタにて表示するデジタルＦＰＵ受信機が記載されている。このデジタルＦＰＵ受信機は、送信機からの直交デジタル変調された信号（映像信号および音声信号）を受信するものであって、直交復調器、データ復号器、テレビ表示処理部および切換部を有する。
【０００４】
直交復調器は、送信機からの直交デジタル変調された信号を同位相成分のＩ信号と直交成分のＱ信号に復調する。データ復号器は、直交復調器からのＩ信号およびＱ信号を復号して映像信号および音声信号を再生する。テレビ表示処理部は、直交復調器からのＩ信号およびＱ信号からコンスタレーションをテレビジョン表示するための処理を行う。切換部は、データ復号器の出力とテレビ表示処理部の出力をそれぞれ入力とし、これら入力のいずれかを選択的に出力する。
【特許文献１】特開２００３−２０９８６１号公報
【発明の開示】
【発明が解決しようとする課題】
【０００５】
ＦＰＵを用いた中継では、中継先が異なると伝送路の環境も大きく変わるため、その都度、受信状況（遅延波やフェージングなど）を的確に判断して、送信機における送信出力や変調方式を最適な状態に調整する必要がある。送信側の作業者と受信側の作業者の間で連絡を取りながらそのような調整を行うことは、調整作業の効率が悪く、手間がかかる。また、コンスタレーションなどの詳細な受信状況を言葉で正確に伝えることは困難であるため、送信機の細かな設定を行うことができない。
【０００６】
特許文献１に記載のデジタルＦＰＵ受信機においては、コンスタレーションをテレビジョンを表示することはできるものの、送信機の調整時は、送信側の作業者が受信側の作業者から受信状況を示す伝送パラメータ（入力電界、コンスタレーションなど）を入手する必要がある。したがって、このデジタルＦＰＵ受信機では、上記の問題を解決することはできない。
【０００７】
本発明の目的は、上記の問題を解決し、送信機の調整を簡単かつ正確に行うことのできる、ＦＰＵ中継システム、受信機、送信機および受信ステータス画面提示方法を提供することにある。
【課題を解決するための手段】
【０００８】
上記目的を達成するため、本発明のＦＰＵ中継システムは、受信機と、該受信機と無線通信を行う送信機を有し、
前記受信機は、
前記送信機からの信号の受信状態を示す情報を表示するための受信ステータス画面信号を生成する受信ステータス画面生成部と、
前記受信ステータス画面生成部で生成された受信ステータス画面信号を前記送信機に送信する受信ステータス画面送り返し手段を有し、
前記送信機は、前記受信機からの受信ステータス画面信号を再生する再生手段を有する。
【０００９】
本発明の送信機は、無線素材の信号を変調して受信機へ送信する無線送信部と、前記受信機から、当該送信機からの信号の受信状態を示す情報を表示するための受信ステータス画面信号を受信し、該受信ステータス画面信号を再生する再生手段を有する。
【００１０】
本発明の受信機は、送信機から無線素材の信号を無線通信により受信する受信機であって、前記送信機からの信号の受信状態を示す情報を表示するための受信ステータス画面信号を生成する受信ステータス画面生成部と、前記受信ステータス画面生成部で生成された受信ステータス画面信号を前記送信機に送信する受信ステータス画面送り返し手段を有する。
【００１１】
本発明の受信ステータス画面提示方法は、受信機と、該受信機と無線通信を行う送信機とを有するＦＰＵ中継システムにて行われる受信ステータス画面提示方法であって、
前記受信機が、前記送信機からの信号の受信状態を示す情報を表示するための受信ステータス画面信号を生成し、該受信ステータス画面信号を前記送信機に送信するステップと、
前記送信機が、前記受信機からの受信ステータス画面信号を再生するステップを含む。
【発明の効果】
【００１２】
本発明によれば、受信機が、送信機からの信号の受信状態を示す受信ステータス画面信号を送信機に送り返し、送信機にて、その受信ステータス画面信号が再生される。送信機において、その再生信号に基づく画面を表示することで、送信側の操作者は、その表示画面から伝送路の状態（受信状態）を認識することができる。したがって、送信側の操作者は、送信機の調整を簡単かつ正確に行うことができる。
【発明を実施するための最良の形態】
【００１３】
次に、本発明の実施形態について図面を参照して説明する。
【００１４】
（第１の実施形態）
図１は、本発明の第１の実施形態であるＦＰＵ中継システムの構成を示すブロック図である。ＦＰＵ中継システムは、基地局に設置される受信機１００と、中継車等の移動体に搭載される送信機２００とを有する。受信機１００と送信機２００の間の無線通信には、複数の送信チャンネル（例えば周波数帯の異なる４つのチャンネル）が用いられる。
【００１５】
図２は、送信機２００の構成を示すブロック図である。図２を参照すると、送信機２００は、変調部１１、ＴＭＣＣ(Transmission and Multiplexing Configuration Control)生成部２、周波数変換部３、電力増幅部４、受信ＣＨフィルタ部５、シンボル同期部６および復調部７を有する。
【００１６】
ＴＭＣＣ生成部２は、変調波の伝送制御に関するＴＭＣＣ信号を生成する。ＴＭＣＣ信号は、伝送制御に関する制御情報（変調方式や伝送パラメータの情報を含む）を含み、これら制御情報がビット情報として格納されるように構成されている。
【００１７】
変調部１１には、無線素材である映像信号や音声信号が本線を通じて供給されるとともに、ＴＭＣＣ生成部２からＴＭＣＣ信号が供給される。変調部１１は、本線を通じて供給される信号とＴＭＣＣ生成部２からのＴＭＣＣ信号とをマッピングする。マッピングは、一定の手順に従って二値のデジタル信号をシンボルに変換するキャリア変調マッピングである。変調部１１は、送信するシンボルについて、搬送波ごとに位相と振幅の大きさをマッピングする。変調部１１からの変調信号の周波数は、例えば１３０ＭＨｚである。
【００１８】
周波数変換部３は、変調部１１からの変調信号を、送信チャンネルの周波数帯のＲＦ信号にアップコンバート（周波数変換）する。送信チャンネルは、複数のチャンネルの中から任意に選択される。電力増幅部４は、周波数変換部３からのＲＦ信号を増幅する。電力増幅部４の出力信号は、不図示のアンテナから送信される。
【００１９】
受信ＣＨフィルタ部５は、受信機１００からの送り返し信号を、アンテナを介して受信するものであって、受信したＲＦ信号を例えば１３０ＭＨｚのＩＦ信号に変換する。受信ＣＨフィルタ部５からの送り返し信号（ＩＦ信号）は、シンボル同期部６を介して復調部７に供給される。シンボル同期部６は、受信ＣＨフィルタ部５からの変調信号である送り返し信号（ＩＦ信号）を復調するために必要なシンボル同期タイミングを検出する。復調部７は、シンボル同期部６にて検出されたシンボル同期タイミングに基づいて、送り返し信号（ＩＦ信号）のデータ部分を復調して受信ステータス画面信号を再生する。受信ステータス画面信号は、不図示の表示手段に供給される。
【００２０】
図３は、受信機１００の構成を示すブロック図である。図３を参照すると、受信機１００は、受信ＣＨフィルタ部９、シンボル同期部１０、復調部１１、入力電界検出部１２、ＭＥＲ(Mapping Error Rate)/コンスタレーション生成部１３、ＢＥＲ(Bit Error Rate)算出部１４、受信ステータス画面生成部１５、変調部１６、周波数変換部１７および電力増幅部１８を有する。
【００２１】
受信ＣＨフィルタ部９は、送信機２００からの変調信号を、不図示のアンテナを介して受信するものであって、受信したＲＦ信号を例えば１３０ＭＨｚのＩＦ信号に変換する。受信ＣＨフィルタ部５の出力信号（変調信号）は、入力電界検出部１２に供給されるとともに、シンボル同期部１０を介して復調部１１およびＭＥＲ/コンスタレーション生成部１３のそれぞれに供給される。
【００２２】
シンボル同期部１０は、受信ＣＨフィルタ部９からの変調信号（ＩＦ信号）を復調するために必要なシンボル同期タイミングを検出する。復調部１１は、シンボル同期部１０にて検出されたシンボル同期タイミングに基づいて、変調信号のデータ部分（映像信号および音声信号）を復調して元の映像信号および音声信号を再生する。再生信号は、本線にて外部装置に供給されるとともにＢＥＲ算出部１４に供給される。
【００２３】
ＭＥＲ/コンスタレーション生成部１３は、シンボル同期部１０にて検出されたシンボル同期タイミングに基づいて、変調信号のデータ部分（ＴＭＣＣ信号）を復調してＭＥＲおよびコンスタレーションを生成する。具体的には、ＭＥＲ/コンスタレーション生成部１３は、変調信号を直交復調してＩ軸とＱ軸の信号を取り出し、各軸の信号の振幅に基づいてコンスタレーションを生成する。また、ＭＥＲ/コンスタレーション生成部１３は、各軸の信号の振幅が送信機２００にてマッピングされた点との距離のｌｏｇ対数を計算することで、ＭＥＲを算出する。ＭＥＲおよびコンスタレーションの情報は、受信ステータス画面生成部１５に供給される。
【００２４】
入力電界検出部１２は、受信ＣＨフィルタ部９からの変調信号（ＩＦ信号）を検波することで入力電界（受信レベル）を検出する。入力電界の検出値は、受信ステータス画面生成部１５に供給される。
【００２５】
ＢＥＲ算出部１４は、復調部１１にて復調された信号（映像信号および音声信号）を入力とし、この入力信号に基づいてＢＥＲを算出する。具体的には、ＢＥＲ算出部１４は、外符号に使用しているリードソロモン復号によって誤り訂正されたビット数を演算してＢＥＲを算出する。算出されたＢＥＲは、受信ステータス画面生成部１５に供給される。
【００２６】
受信ステータス画面生成部１５は、入力電界検出部１２からの入力電界検出値と、ＭＥＲ/コンスタレーション生成部１３からのＭＥＲおよびコンスタレーションと、ＢＥＲ算出部１４からのＢＥＲとを１つの画面上に表示するための受信ステータス画面信号を生成する。受信ステータス画面信号は、不図示の表示手段および変調部１６に供給される。コンスタレーションは、Ｉ軸とＱ軸からなる２次元座標上に展開された受信信号点の集まりである。受信ステータス画面は、この受信信号点の集まりを表示するための領域と、入力電界検出値、ＭＥＲおよびＢＥＲの各値が表示される領域とを有する。
【００２７】
変調部１６は、受信ステータス画面生成部１５からの受信ステータス画面信号をマッピングする。マッピングは、上述したキャリア変調マッピングである。周波数変換部１７は、変調部１６からの変調信号（ＩＦ信号）を、送信チャンネルの周波数帯のＲＦ信号にアップコンバート（周波数変換）する。この送信チャンネルは、送信機２００の周波数変換部３にてアップコンバートした送信チャンネルと異なる。電力増幅部１８は、周波数変換部１７からのＲＦ信号を増幅する。電力増幅部１８の出力信号は、不図示のアンテナから送り返し信号として送信される。
【００２８】
次に、本実施形態のＦＰＵ中継システムにおける受信ステータス画面の提示動作を説明する。図４に、その動作の一手順を示す。
【００２９】
操作者が、送信機２００の操作部にて、運用調整を行うための所定の入力操作を行うと、この入力操作を受けて、ＴＭＣＣ生成部２が、予め与えられている伝送パラメータをもとにＴＭＣＣ信号を生成する（ステップＳ１０）。そして、変調部１１が、そのＴＭＣＣ信号および本線より供給される信号をそれぞれマッピングする（ステップＳ１１）。
【００３０】
次に、周波数変換部３が、変調部１１からの変調信号を送信チャンネルＣＨ１の周波数帯のＲＦ信号にアップコンバートする（ステップＳ１２）。そして、アップコンバートした変調信号が、電力増幅部４にて増幅されてアンテナから送信される。
【００３１】
送信機２００から送信された変調信号は、受信機１００によって受信される。受信機１００では、受信ＣＨフィルタ部９が、受信したＲＦ信号をＩＦ信号に変換（ダウンコンバート）する（ステップＳ１３）。ＩＦ信号（変調信号）は、入力電界検出部１２に供給されるとともに、シンボル同期部１０を介して復調部１１およびＭＥＲ/コンスタレーション生成部１３のそれぞれに供給される。
【００３２】
次に、復調部１１が、受信ＣＨフィルタ部９からの変調信号を復調して元の映像信号および音声信号を再生する。さらに、入力電界検出部１２、ＭＥＲ/コンスタレーション生成部１３およびＢＥＲ算出部１４からなる伝送パラメータ取得手段が、入力電界、ＭＥＲ、コンスタレーションおよびＢＥＲを含む伝送パラメータを取得する（ステップＳ１４）。
【００３３】
次に、受信ステータス画面生成部１５が、ステップＳ１４で取得した伝送パラメータを表示するための受信ステータス画面信号を生成する（ステップＳ１５）。さらに、変調部１６が、受信ステータス画面生成部１５からの受信ステータス画面信号をマッピングする（ステップＳ１５）。そして、周波数変換部１７が、変調部１６からの変調信号（ＩＦ信号）を、送信チャンネルＣＨ２の周波数帯のＲＦ信号にアップコンバート（周波数変換）する（ステップＳ１６）。このアップコンバートした変調信号は、電力増幅部１８にて増幅されてアンテナから送り返し信号として送信される。
【００３４】
受信機１００から送信された送り返し信号（変調信号）は、送信機２００によって受信される。送信機２００では、受信ＣＨフィルタ部５が、受信したＲＦ信号をＩＦ信号に変換（ダウンコンバート）する（ステップＳ１８）。受信ＣＨフィルタ部９は、変換したＩＦ信号（変調信号）を、シンボル同期部６を介して復調部１１に供給する。
【００３５】
最後に、復調部７が、受信ＣＨフィルタ部５からの変調信号を復調して元の受信ステータス画面信号を再生する（ステップＳ１９）。
【００３６】
上述の手順によれば、受信機１００において、受信ステータス画面生成部１５で生成した受信ステータス画面信号に基づく画面を表示手段に表示させることで、受信側の操作者は、その表示画面から伝送路の状態を確認することができる。
【００３７】
また、送信機２００において、受信機１００から送り返し信号として供給された受信ステータス画面信号に基づく画面を表示手段に表示させることで、送信側の操作者は、その表示画面から伝送路の状態を確認することができる。受信機１００および送信機２００にて表示される受信ステータス画面は、同じ内容のものである。送信側の操作者および受信側の操作者は、受信ステータス画面の内容を参照して、受信機１００および送信機２００を最適な状態に簡単に設定することができる。
【００３８】
（第２の実施形態）
運用調整は、中継先が変わるなどして伝送路の環境が大きく変化した場合にのみ行われる。したがって、受信ステータス画面の送り返しは、運用調整時にのみ行えばよく、常時、行う必要はない。
【００３９】
受信ステータス画面の送り返し関わる部分は、図２に示した送信機２００の受信ＣＨフィルタ部５、シンボル同期部６および復調部７と、図３に示した受信機１００の変調部１６、周波数変換部１７および電力増幅部１８である。この受信ステータス画面の送り返し関わる部分を、運用調整時にのみ動作させることで、受信機１００および送信機２００の消費電力を低減することが可能である。ここでは、本発明の第２の実施形態として、そのような受信ステータス画面の送り返し関わる部分の制御が可能なＦＰＵ中継システムを説明する。
【００４０】
本実施形態によるＦＰＵ中継システムは、受信機１００および送信機２００の一部が異なる以外は、第１の実施形態のものと同じ構成である。
【００４１】
図５は、本実施形態のＦＰＵ中継システムの送信機２００の構成を示すブロック図である。図５を参照すると、送信機２００は、図２に示した構成に加えて、送り返し制御部８を備える。なお、ＴＭＣＣ信号は、伝送制御に関する制御情報（変調方式や伝送パラメータの情報を含む）を含み、これら制御情報がビット情報として格納されるように構成されている。ここでは、制御情報として、受信ステータス画面の送り返し機能の有効／無効を示すフラグ情報（ビット情報）がさらにＴＭＣＣ信号に格納される。
【００４２】
不図示の操作部にて、受信ステータス画面の送り返し機能を有効にするための入力操作が行われると、送り返し制御部８は、その入力操作に応じて、受信ＣＨフィルタ部５、シンボル同期部６および復調部７を稼動させるとともに、フラグ情報を「有効」とする旨のフラグ制御信号をＴＭＣＣ生成部２に供給する。また、操作部にて、受信ステータス画面の送り返し機能を無効にするための入力操作が行われると、送り返し制御部８は、その入力操作に応じて、受信ＣＨフィルタ部５、シンボル同期部６および復調部７を停止させとともに、フラグ情報を「無効」とする旨のフラグ制御信号をＴＭＣＣ生成部２に供給する。
【００４３】
ＴＭＣＣ生成部２は、ＴＭＣＣ信号を生成するとともに、送り返し制御部８からのフラグ制御信号に従って、ＴＭＣＣ内のフラグ情報の「有効」および「無効」の設定を行う。具体的には、ＴＭＣＣ生成部２は、送り返し制御部８からフラグ情報を「有効」とする旨のフラグ制御信号を受信すると、ＴＭＣＣ内のフラグ情報を「有効」としたＴＭＣＣ信号を生成する。また、ＴＭＣＣ生成部２は、送り返し制御部８からフラグ情報を「無効」とする旨のフラグ制御信号を受信すると、ＴＭＣＣ内のフラグ情報を「無効」としたＴＭＣＣ信号を生成する。
【００４４】
図６は、本実施形態のＦＰＵ中継システムの受信機１００の構成を示すブロック図である。図６を参照すると、受信機１００は、図２に示した構成に加えて、ＴＭＣＣ復調部１９および送り返し制御部２０を備える。受信ＣＨフィルタ部５の出力信号（変調信号）は、入力電界検出部１２に供給されるとともに、シンボル同期部１０を介して復調部１１、ＭＥＲ/コンスタレーション生成部１３およびＴＭＣＣ復調部１９のそれぞれに供給される。
【００４５】
ＴＭＣＣ復調部１９は、シンボル同期部１０にて検出されたシンボル同期タイミングに基づいて、変調信号のデータ部分（ＴＭＣＣ信号）を復調（再生）する。この復調されたＴＭＣＣ信号は、送り返し制御部２０に供給される。
【００４６】
送り返し制御部２０は、ＴＭＣＣ復調部１９からのＴＭＣＣ信号のフラグ情報を調べる。フラグ情報が「有効」である場合は、送り返し制御部２０は、変調部１６、周波数変換部１７および電力増幅部１８を稼動させる。フラグ情報が「無効」である場合は、送り返し制御部２０は、変調部１６、周波数変換部１７および電力増幅部１８を停止させる。
【００４７】
本実施形態のＦＰＵ中継システムでは、運用調整時に、送信側の操作者が、送信機２００の操作部にて、受信ステータス画面の送り返し機能を有効にするための入力操作を行う。この入力操作により、送信機２００では、受信ＣＨフィルタ部５、シンボル同期部６および復調部７が稼動するとともに、ＴＭＣＣ生成部２が、ＴＭＣＣ内のフラグ情報を「有効」としたＴＭＣＣ信号を生成する。さらに、変調部１が、本線からの信号とＴＭＣＣ生成部２で生成されたＴＭＣＣ信号とをマッピングし、周波数変換部３が、変調部１１からの変調信号をアップコンバートする。そして、周波数変換部３からのＲＦ信号が電力増幅部４にて増幅され、その増幅されたＲＦ信号がアンテナから送信される。
【００４８】
送信機１００からのＲＦ信号は、受信機１００によって受信される。受信機１００では、受信ＣＨフィルタ部９が、受信したＲＦ信号をＩＦ信号に変換する。ＩＦ信号（変調信号）は、入力電界検出部１２に供給されるとともに、シンボル同期部１０を介して復調部１１、ＭＥＲ/コンスタレーション生成部１３およびＴＭＣＣ復調部１９のそれぞれに供給される。
【００４９】
復調部１１が、受信ＣＨフィルタ部９からの変調信号を復調して元の映像信号および音声信号を再生する。さらに、入力電界検出部１２、ＭＥＲ/コンスタレーション生成部１３およびＢＥＲ算出部１４からなる伝送パラメータ取得手段が、入力電界、ＭＥＲ、コンスタレーションおよびＢＥＲを含む伝送パラメータを取得する。そして、受信ステータス画面生成部１５が、その取得した伝送パラメータを表示するための受信ステータス画面信号を生成する。
【００５０】
さらに、ＴＭＣＣ復調部１９が、受信ＣＨフィルタ部９からの変調信号を復調してＴＭＣＣ信号を再生する。そして、送り返し制御部２０が、ＴＭＣＣ復調部１９からのＴＭＣＣ信号のフラグ情報を調べる。この場合のフラグ情報は「有効」であるので、送り返し制御部２０は、変調部１６、周波数変換部１７および電力増幅部１８を稼動させる。この後、受信機１００において、図４に示したステップＳ１６、Ｓ１７の処理が行われ、送信機２００において、図４に示したステップＳ１８、Ｓ１９の処理が行われる。
【００５１】
運用調整が終了すると、送信側の操作者が、送信機２００の操作部にて、受信ステータス画面の送り返し機能を無効にするための入力操作を行う。この入力操作により、送信機２００では、受信ＣＨフィルタ部５、シンボル同期部６および復調部７が停止するとともに、ＴＭＣＣ生成部２が、ＴＭＣＣ内のフラグ情報を「無効」としたＴＭＣＣ信号を生成する。さらに、変調部１が、本線からの信号とＴＭＣＣ生成部２で生成されたＴＭＣＣ信号とをマッピングし、周波数変換部３が、変調部１１からの変調信号をアップコンバートする。そして、周波数変換部３からのＲＦ信号が電力増幅部４にて増幅され、その増幅されたＲＦ信号がアンテナから送信される。
【００５２】
送信機１００からのＲＦ信号は、受信機１００によって受信される。受信機１００では、受信ＣＨフィルタ部９が、受信したＲＦ信号をＩＦ信号に変換する。ＩＦ信号（変調信号）は、入力電界検出部１２に供給されるとともに、シンボル同期部１０を介して復調部１１、ＭＥＲ/コンスタレーション生成部１３およびＴＭＣＣ復調部１９のそれぞれに供給される。
【００５３】
復調部１１が、受信ＣＨフィルタ部９からの変調信号を復調して元の映像信号および音声信号を再生する。さらに、入力電界検出部１２、ＭＥＲ/コンスタレーション生成部１３およびＢＥＲ算出部１４からなる伝送パラメータ取得手段が、入力電界、ＭＥＲ、コンスタレーションおよびＢＥＲを含む伝送パラメータを取得する。そして、受信ステータス画面生成部１５が、その取得した伝送パラメータを表示するための受信ステータス画面信号を生成する。
【００５４】
さらに、ＴＭＣＣ復調部１９が、受信ＣＨフィルタ部９からの変調信号を復調してＴＭＣＣ信号を再生する。そして、送り返し制御部２０が、ＴＭＣＣ復調部１９からのＴＭＣＣ信号のフラグ情報を調べる。この場合のフラグ情報は「無効」であるので、送り返し制御部２０は、変調部１６、周波数変換部１７および電力増幅部１８を停止させる。この後、受信機１００において、受信ステータス画面の送り返しは行われない。
【００５５】
本実施形態のＦＰＵ中継システムにおいても、第１の実施形態の場合と同様、受信機１００および送信機２００の両機において、受信ステータス画面生成部１５で生成した受信ステータス画面信号に基づく画面を表示手段に表示させる。したがって、送信側の操作者および受信側の操作者は、受信ステータス画面の内容を参照して、受信機１００および送信機２００を最適な状態に簡単に設定することができる。
【００５６】
さらに、受信機１００の変調部１６、周波数変換部１７および電力増幅部１８と、送信機２００の受信ＣＨフィルタ部５、シンボル同期部６および復調部７は、運用調整時（受信ステータス画面の送り返し機能を有効にした場合）以外は、稼動しないので、その分、受信機１００および送信機２００の消費電力を削減することができる。
【００５７】
以上説明した各実施形態のＦＰＵ中継システムは、本発明の一例であり、その構成および動作は適宜に変更することができる。
【００５８】
本発明の一態様によれば、ＦＰＵ中継システムは、受信機と、該受信機と無線通信を行う送信機とを有する。受信機は、送信機からの信号の受信状態を示す情報を表示するための受信ステータス画面信号を生成する受信ステータス画面生成部と、該受信ステータス画面生成部で生成された受信ステータス画面信号を前記送信機に送信する受信ステータス画面送り返し手段を有する。送信機は、受信機からの受信ステータス画面信号を再生する再生手段を有する。ここで、送信機および受信機は、第１または第２の実施形態のＦＰＵ中継システムにおける送信機および受信機に対応する。再生手段は、図２に示した受信ＣＨフィルタ部５、シンボル同期部６および復調部７に対応する。受信ステータス画面送り返し手段は、図３に示した変調部１６、周波数変換部１７および電力増幅部１８に対応する。
【００５９】
上記の構成によれば、受信機が、送信機からの信号の受信状態を示す受信ステータス画面信号を送信機に送り返し、送信機にて、その受信ステータス画面信号が再生される。送信機において、その再生信号に基づく画面を表示することで、送信側の操作者は、その表示画面から伝送路の状態（受信状態）を認識することができる。したがって、送信側の操作者は、送信機の調整を簡単かつ正確に行うことができる。
【００６０】
上記のＦＰＵ中継システムにおいて、送信機は、操作部と、操作部にて、受信ステータス画面の送り返しを有効とするための入力操作が行われると、該入力操作に応じて、再生手段を稼動させ、操作部にて、受信ステータス画面の送り返しを無効とするための入力操作が行われると、該入力操作に応じて、再生手段を停止させる第１の送り返し制御部を、さらに有してもよい。ここで、第１の送り返し制御部は、図５に示した送り返し制御部８に対応する。この構成によれば、受信ステータス画面の送り返しを有効とした場合にのみ、再生手段を稼動させるので、送信機の消費電力の削減が可能である。
【００６１】
また、上記のＦＰＵ中継システムにおいて、送信機は、無線通信における伝送制御に関する制御情報を格納したＴＭＣＣ信号を生成するＴＭＣＣ信号生成部を備え、該ＴＭＣＣ信号生成部で生成されたＴＭＣＣ信号と外部から入力される無線素材の信号をそれぞれ変調し、該変調信号を周波数変換して第１のチャンネルで送信するように構成されており、第１の送り返し制御部が、受信ステータス画面の送り返しの有効および無効の設定状態を示すフラグ情報を制御情報として含むＴＭＣＣ信号をＴＭＣＣ信号生成部にて生成させるようにしてもよい。
【００６２】
さらに、上記のＦＰＵ中継システムにおいて、受信機は、送信機からの変調信号のうちのＴＭＣＣ信号を復調するＴＭＣＣ復調部と、ＴＭＣＣ復調部にて復調されたＴＭＣＣ信号に含まれているフラグ情報を調べ、該フラグ情報が受信ステータス画面の送り返しの有効を示す場合は、受信ステータス画面送り返し手段を稼動させ、該フラグ情報が受信ステータス画面の送り返しの無効を示す場合には、受信ステータス画面送り返し手段を停止させる第２の送り返し制御部を、さらに有してもよい。ここで、ＴＭＣＣ復調部および第２の送り返し制御部は、図６に示したＴＭＣＣ変調部１９および送り返し制御部２０に対応する。この構成によれば、送信機にて受信ステータス画面の送り返しを有効とした場合にのみ、受信ステータス画面送り返し手段を稼動させるので、受信機の消費電力の削減が可能である。
【００６３】
さらに、上記のＦＰＵ中継システムにおいて、受信ステータス画面送り返し手段は、受信ステータス画面生成部で生成された受信ステータス画面信号を変調する変調部と、変調部からの変調信号に対して、該変調信号を周波数帯が第１のチャンネルと異なる第２のチャンネルで送信するための周波数変換を行う周波数変換部と、周波数変換部にて周波数変換された変調信号を増幅する電力増幅部を有してもよい。
【００６４】
さらに、上記のＦＰＵ中継システムにおいて、受信状態を示す情報は、送信機からの変調信号の入力電界値と、該変調信号を直交復調して得られるＩ軸とＱ軸の信号の振幅に基づいて生成される、変調誤差比およびコンスタレーションと、該変調信号を復調した信号に基づいて算出される符号誤り率を含んでもよい。
【図面の簡単な説明】
【００６５】
【図１】本発明の第１の実施形態であるＦＰＵ中継システムの構成を示すブロック図である。
【図２】図１に示すＦＰＵ中継システムの送信機の構成を示すブロック図である。
【図３】図１に示すＦＰＵ中継システムの受信機の構成を示すブロック図である。
【図４】図１に示すＦＰＵ中継システムにおける受信ステータス画面提示動作の一手順を説明するための図である。
【図５】本発明の第２の実施形態のＦＰＵ中継システムの送信機の構成を示すブロック図である。
【図６】本発明の第２の実施形態のＦＰＵ中継システムの受信機の構成を示すブロック図である。
【符号の説明】
【００６６】
１、１６  変調部
２  ＴＭＣＣ生成部
３、１７  周波数変換部
４、１８  電力増幅部
５、９  受信ＣＨフィルタ部
６、１０  シンボル同期部
７、１１  復調部
１２  入力電界検出部
１３  ＭＥＲ／コンスタレーション生成部
１４  ＢＥＲ算出部
１５  受信ステータス画面生成部
【図１】
2010109576.tif 000003
【図２】
2010109576.tif 000004
【図３】
2010109576.tif 000005
【図４】
2010109576.tif 000006
【図５】
2010109576.tif 000007
【図６】
2010109576.tif 000008